(57)【要約】【課題】  運転者と助手席同乗者に対して同一画面上で２種類の映像を同時に表示した場合に、相手がどのソース映像を見ているかを常に知ることができる「表示装置」を提供することである。【解決手段】  運転者と助手席同乗者に対して同一画面上で２種類の映像を同時に表示した場合、運転席側には運転者が選択したソース映像（ナビゲーション映像）と助手席同乗者が見ているソース映像名を示す画像（ＤＶＤ等の文字画像）との合成画像ＩＭＤ１をディスプレイ１１に表示し、助手席側には助手席同乗者が選択したソース映像（ＤＶＤ映像）と運転者が見ているソース映像名を表す画像（ＮＡＶＩ等の文字画像）との合成画像ＩＭＡ１をディスプレイ１１に表示する。【選択図】図１
2007212927.tif 000002
【特許請求の範囲】
【請求項１】
右側観察者用映像を生成する第１映像生成部と、左側観察者用映像を生成する第２映像生成部とを備え、同一画面上で左右の観察者に対してそれぞれ異なる映像を同時に提供することができる表示装置において、
前記左右の観察者に対して提供する映像を選択する映像選択操作部と、
前記映像選択操作部の操作に応じて、前記右側観察者用映像のソース名を表す第１の画像と、前記左側観察者用映像のソース名を表す第２の画像とを生成する画像生成部と、
前記右側観察者用映像と前記第２の画像とを合成する右側映像合成部と、
前記左側観察者用映像と前記第１の画像とを合成する左側映像合成部と、
前記右側映像合成部で合成された映像と、前記左側映像合成部で合成された映像とを同時に表示する表示部とを備えた、
ことを特徴とする表示装置。
【請求項２】
右側観察者用映像を生成する第１映像生成部と、左側観察者用映像を生成する第２映像生成部とを備え、同一画面上で左右の観察者に対してそれぞれ異なる映像を同時に提供することができる表示装置において、
前記左右の観察者に対して提供する映像を選択する映像選択操作部と、
前記映像選択操作部の操作に応じて、前記左側観察者用映像のソース名を表す画像を生成する画像生成部と、
前記右側観察者用映像と前記画像とを合成する映像合成部と、
前記映像合成部で合成された映像と前記左側観察者用映像とを同時に表示する表示部とを備えた、
ことを特徴とする表示装置。
【請求項３】
右側観察者用映像を生成する第１映像生成部と、左側観察者用映像を生成する第２映像生成部とを備え、同一画面上で左右の観察者に対してそれぞれ異なる映像を同時に提供することができる表示装置において、
前記左右の観察者に対して提供する映像を選択する映像選択操作部と、
前記映像選択操作部の操作に応じて、前記右側観察者用映像のソース名を表す画像を生成する画像生成部と、
前記左側観察者用映像と前記画像とを合成する映像合成部と、
前記映像合成部で合成された映像と前記右側観察者用映像とを同時に表示する表示部とを備えた、
ことを特徴とする表示装置。
【発明の詳細な説明】
【技術分野】
【０００１】
本発明は、表示装置に係わり、特に、右側観察者用映像を生成する第１映像生成部と、左側観察者用映像を生成する第２映像生成部とを備え、同一画面上で左右の観察者に対してそれぞれ異なる映像を同時に提供することができる表示装置に関する。
【背景技術】
【０００２】
従来技術として、同一画面上で２種類の映像を同時に表示することができる表示装置が提案されている（特許文献１、２参照）。図７は係る表示装置の説明図である。
映像信号を表示する液晶デバイスなどの表示体４１は、ピクセルが垂直および水平方向に連続的に配置されており、各ピクセルは右側観察者用の第１映像を表示する第１サブピクセル４１Ｒと左側観察者用の第２映像を表示する第２サブピクセル４１Ｌとで構成され、これら第１、第２のサブピクセル４１Ｒ、４１Ｌは水平方向に交互に配置されるようになっている。レンチキュラーレンズ４２は第１、第２のサブピクセル４１Ｒ、４１Ｌに対応するように表示体４１の前面に配置され、右側観察領域４３Ｒと左側観察領域４３Ｌの方向に右側観察者用の第１映像および左側観察者用の第２映像をそれぞれ結像するようになっている。
【０００３】
第１映像生成部４４は右側観察者用の第１映像データＩＭＤ４を生成し、第２映像生成部４５は左側観察者用の第２映像データＩＭＡ４を生成し、表示データ処理部４６は第１、第２の映像データＩＭＤ４、ＩＭＡ４を処理し、第１映像データＩＭＤ４により表示体４１の第１サブピクセル４１Ｒをラスタースキャン駆動し、第２映像データＩＭＡ４により表示体４１の第２サブピクセル４１Ｌをラスタースキャン駆動するようになっている。この結果、表示体４１の第１サブピクセル４１Ｒに第１映像が表示され、第２サブピクセル４１Ｌに第２映像が表示され、レンチキュラーレンズ４２の作用で右側観察領域４３Ｒの観察者は第１サブピクセル４１Ｒに表示された第１映像を見ることができ、左側観察領域４３Ｌの観察者は第２サブピクセル４１Ｌに表示された第２映像を見ることができる。
【０００４】
図８は従来の２種類の映像を同時に表示する表示装置の表示画面を説明する図である。第１映像データＩＭＤ４はナビゲーション装置から生成されるナビゲーション映像データであり、第２映像データＩＭＡ４はＤＶＤから読み取ったＤＶＤ映像データであり、表示装置は、例えば車両内のダッシュボードの中央に設置され、右側観察者（運転者）はナビゲーション映像を見ることができ、左側観察者（助手席同乗者）はＤＶＤ映像を見ることができるようになっている。
【０００５】
【特許文献１】特開平９−４６６２２号公報
【特許文献２】特開２００５−１０４３２６号公報
【発明の開示】
【発明が解決しようとする課題】
【０００６】
しかしながら、従来技術において、運転者と助手席同乗者に対してそれぞれナビゲーション映像ＩＭＤ４とＤＶＤ映像ＩＭＡ４を同時に表示した場合、相手がどのソース映像を見ているかを知る手段が設けられていなかった。従って、運転者は助手席同乗者がどのソース映像を見ているかを知りたい場合、運転中に無理に助手席側の画面を覗き込んでいたため危険が生じていた。また、運転者がナビゲーション映像ＩＭＤ４を見て、「自車Ａは交差点Ｂを左折したら目的地Ｃに到着するよね。」と助手席同乗者に確認した場合に、助手席同乗者はナビゲーション映像ＩＭＤ４を見ていないため、会話が成立しない等の問題が生じていた。
更に、助手席同乗者も運転者がどのソース映像を見ているかを知ることができないため、助手席同乗者に運転者がナビゲーション映像を見て安全な運転をしているかどうかという不安を与えていた。
【０００７】
従って、本発明の目的は、運転者と助手席同乗者に対して同一画面上で２種類の映像を同時に表示した場合に、相手がどのソース映像を見ているかを常に知ることができる表示装置を提供することである。
【課題を解決するための手段】
【０００８】
上記課題は本発明によれば、右側観察者用映像を生成する第１映像生成部と、左側観察者用映像を生成する第２映像生成部とを備え、同一画面上で左右の観察者に対してそれぞれ異なる映像を同時に提供することができる表示装置において、前記左右の観察者に対して提供する映像を選択する映像選択操作部と、前記映像選択操作部の操作に応じて、前記右側観察者用映像のソース名を表す第１画像と、前記左側観察者用映像のソース名を表す第２画像とを生成する画像生成部と、前記右側観察者用映像と前記第２画像とを合成する第１映像合成部と、前記左側観察者用映像と前記第１画像とを合成する第２映像合成部と、前記第１映像合成部で合成された映像と、前記第２映像合成部で合成された映像とを同時に表示する表示部とを備える表示装置により達成される。
【０００９】
上記課題は本発明によれば、右側観察者用映像を生成する第１映像生成部と、左側観察者用映像を生成する第２映像生成部とを備え、同一画面上で左右の観察者に対してそれぞれ異なる映像を同時に提供することができる表示装置において、前記左右の観察者に対して提供する映像を選択する映像選択操作部と、前記映像選択操作部の操作に応じて、前記左側観察者用映像のソース名を表す画像を生成する画像生成部と、前記右側観察者用映像と前記画像とを合成する映像合成部と、前記映像合成部で合成された映像と前記左側観察者用映像とを同時に表示する表示部とを備える表示装置により達成される。
【００１０】
上記課題は本発明によれば、右側観察者用映像を生成する第１映像生成部と、左側観察者用映像を生成する第２映像生成部とを備え、同一画面上で左右の観察者に対してそれぞれ異なる映像を同時に提供することができる表示装置において、前記左右の観察者に対して提供する映像を選択する映像選択操作部と、前記映像選択操作部の操作に応じて、前記右側観察者用映像のソース名を表す画像を生成する画像生成部と、前記左側観察者用映像と前記画像とを合成する映像合成部と、前記映像合成部で合成された映像と前記右側観察者用映像とを同時に表示する表示部とを備える表示装置により達成される。
【発明の効果】
【００１１】
本発明によれば、左右の観察者に対して提供する映像を選択操作し、この操作に応じて左側観察者用映像のソース名を表す第１画像と、右側観察者用映像のソース名を表す第２画像とを生成し、前記右側観察者用映像と前記第１画像とを合成した映像と、前記左側観察者用映像と前記第２画像とを合成した映像とを同時に表示するように構成したため、左右両観察者は相手がどのソース映像を見ているかを常に知ることができる。
【００１２】
本発明によれば、左右の観察者に対して提供する映像を選択操作し、この操作に応じて左側観察者用映像のソース名を表す画像を生成し、右側観察者用映像と前記画像とを合成した映像と、前記左側観察者用映像とを同時に表示するように構成したため、右側観察者は左側観察者がどのソース映像を見ているかを常に知ることができる。
【００１３】
本発明によれば、左右の観察者に対して提供する映像を選択操作し、この操作に応じて右側観察者用映像のソース名を表す画像を生成し、左側観察者用映像と前記画像とを合成した映像と、前記右側観察者用映像とを同時に表示するように構成したため、左側観察者は右側観察者がどのソース映像を見ているかを常に知ることができる。
【発明を実施するための最良の形態】
【００１４】
図１は本発明の２種類の映像を同時に表示する表示装置の表示画面を説明する図であり、表示装置は、車両内のダッシュボードの中央に設置されたものとする。
まず、運転者は運転席側（右側）に表示するソース映像を選択操作する。ここでは、運転者はナビゲーション映像を選択操作したものとする。この操作に応じて、表示装置はナビゲーション映像データを運転席側映像データとして生成するとともに、助手席側映像データのソース名を表す第１画像を生成するが、表示装置が助手席側映像データが生成されていない場合には、上記第１画像は生成しない。次に、助手席同乗者は助手席側（左側）に表示するソース映像を選択操作する。ここでは、助手席同乗者はＤＶＤ映像を選択操作したものとする。この操作に応じて、表示装置はＤＶＤ映像データを助手席側映像データとして生成するとともに、この第１映像データのソース名を表す第２画像、例えばＮＡＶＩという文字画像等を生成する。この操作により、表示装置は助手席側映像データを生成するため、表示装置はこの時点で上記第１画像、例えばＤＶＤという文字画像等を生成する。
【００１５】
そして、表示装置は上記第１映像データと上記第１文字画像（ＤＶＤ）とを合成し、この合成画像を運転席側映像ＩＭＤ１として表示する。また、表示装置は上記第２映像データと上記第２文字画像（ＮＡＶＩ）とを合成し、この合成画像を助手席側映像ＩＭＡ１として表示する。これにより、運転者と助手席同乗者は現在、相手がどのソース映像を見ているかを常に知ることができる。
【実施例１】
【００１６】
実施例１の表示装置は同一画面上で２種類の映像を同時に表示する場合に、運転席側（右側）と助手席側（左側）の両映像に対して、相手が見ているソース映像名をＯＳＤ（Ｏｎ Ｓｃｒｅｅｎ Ｄｉｓｐｌａｙ）でそれぞれ表示することにより、運転者と助手席同乗者は、相手がどのソース映像を見ているかを常に知ることができるようにしたものである。
【００１７】
図２は本発明の実施例１における表示装置の構成を示すブロック図である。操作部１は運転者が運転席側に表示するソース映像を選択したり、助手席同乗者が助手席側に表示するソース映像を選択したりする。
運転者が操作部１で運転席側に表示するソース映像としてナビゲーション映像を選択操作する。この操作情報は映像選択制御部２に送られ、映像選択制御部２はこの操作情報から運転者により選択されたソース映像がナビゲーション映像であることを認識し、ナビゲーション映像生成部３にナビゲーション映像を生成するように指示する。これにより、ナビゲーション映像生成部３はナビゲーション映像を生成し、このナビゲーション映像を映像切替部６に送る。また、映像選択制御部２は映像切替部６に上記ナビゲーション映像を運転席側映像合成部８に送るように指示する。これにより、映像切替部６は上記ナビゲーション映像を運転席側映像合成部８に送る。
更に、映像選択制御部２はＯＳＤ生成部５に対して助手席側映像のソース名を表す第１ＯＳＤ画像を生成するように指示する。但し、映像選択制御部２で助手席同乗者が操作部１で助手席側に表示するソース映像を選択していないことを認識した場合はこの指示は行わない。
運転席側映像合成部８は、上記ナビゲーション映像と上記第１ＯＳＤ画像とを合成し、この合成画像を表示データ処理部１０を介して運転席側映像ＩＭＤ１として２種類の映像を同時に表示できるディスプレイ１１に表示する。なお、ディスプレイ１１は図７の表示装置を用いることができる。この時点では助手席同乗者が操作部１で助手席側に表示するソース映像を選択していないため、第１ＯＳＤ画像は運転席側映像合成部８に入力されない。
【００１８】
次に、助手席同乗者が操作部１で助手席側に表示するソース映像としてＤＶＤ映像を選択操作する。この操作情報は映像選択制御部２に送られ、映像選択制御部２はこの操作情報から助手席同乗者により選択されたソース映像がＤＶＤ映像であることを認識し、ＤＶＤ映像生成部４にＤＶＤ映像を生成するように指示する。これにより、ＤＶＤ映像生成部４はＤＶＤ映像を生成し、このＤＶＤ映像を映像切替部６に送る。また、映像選択制御部２は映像切替部６に上記ＤＶＤ映像を助手席側映像合成部９に送るように指示する。これにより、映像切替部６は上記ＤＶＤ映像を助手席側映像合成部９に送る。
更に、映像選択制御部２はＯＳＤ生成部５に対して運転席側映像のソース名を表す第２ＯＳＤ画像を生成するように指示する。これにより、ＯＳＤ生成部５は運転席側映像のソース名を表す第２ＯＳＤ画像、例えばＮＡＶＩという文字画像を生成し、この第２ＯＳＤ画像をＯＳＤ切替部７に送る。また同時に、映像選択制御部２はＯＳＤ生成部５に対して助手席側映像のソース名を表す第１ＯＳＤ画像を生成するように指示する。これにより、ＯＳＤ生成部５は助手席側映像のソース名を表す第１ＯＳＤ画像、例えばＤＶＤという文字画像を生成し、この第１ＯＳＤ画像をＯＳＤ切替部７に送る。
そして、映像選択制御部２はＯＳＤ切替部７に対して第１ＯＳＤ画像（ＤＶＤ）を運転席側映像合成部８に送り、上記第２ＯＳＤ画像（ＮＡＶＩ）を助手席側映像合成部９に送るように指示する。これにより、ＯＳＤ切替部７は第１ＯＳＤ画像（ＤＶＤ）を運転席側映像合成部８に送り、上記第２ＯＳＤ画像を助手席側映像合成部９に送る。
その後、運転席側映像合成部８は、上記ナビゲーション映像と上記第１ＯＳＤ画像（ＤＶＤ）とを合成し、この合成画像を表示データ処理部１０を介して運転席側映像ＩＭＤ１として２種類の映像を同時に表示できるディスプレイ１１に表示する。また、助手席側映像合成部９は、上記ＤＶＤ映像と上記第２ＯＳＤ画像（ＮＡＶＩ）とを合成し、この合成画像を表示データ処理部１０を介して助手席側映像ＩＭＡ１として２種類の映像を同時に表示できるディスプレイ１１に表示する。以上により、図１に示すような映像がディスプレイ１１に表示される。
【００１９】
次に、助手席同乗者が操作部１で助手席側に表示するソース映像としてナビゲーション映像を選択切替操作する。この操作情報は映像選択制御部２に送られ、映像選択制御部２はこの操作情報から助手席同乗者により選択されたソース映像がナビゲーション映像に切り替えられたことを認識し、ＤＶＤ映像生成部４にＤＶＤ映像を生成しないように指示する。これにより、ＤＶＤ映像生成部４はＤＶＤ映像を生成しないように制御される。また、映像選択制御部２は映像切替部６に上記ナビゲーション映像を運転席映像合成部８と助手席側映像合成部９とに送るように指示する。これにより、映像切替部６は上記ナビゲーション映像を運転席映像合成部８と助手席側映像合成部９とに送る。
更に、映像選択制御部２はＯＳＤ生成部５に対して助手席側映像のソース名を表す第１ＯＳＤ画像を変更するように指示する。これにより、ＯＳＤ生成部５は助手席側映像のソース名を表す第１ＯＳＤ画像を、例えばＮＡＶＩという文字画像に変更し、この第１ＯＳＤ画像をＯＳＤ切替部７に送る。
そして、映像選択制御部２はＯＳＤ切替部７に対して上記第１ＯＳＤ画像（ＮＡＶＩ）を運転席側映像合成部８に送り、上記第２ＯＳＤ画像（ＮＡＶＩ）を助手席側映像合成部９に送るように指示する。これにより、ＯＳＤ切替部７は上記第１ＯＳＤ画像（ＮＡＶＩ）を運転席側映像合成部８に送り、上記第２ＯＳＤ画像（ＮＡＶＩ）を助手席側映像合成部９に送る。
その後、運転席側映像合成部８は、上記ナビゲーション映像と上記第１ＯＳＤ画像（ＮＡＶＩ）とを合成し、この合成画像を表示データ処理部１０を介して運転席側映像ＩＭＤ１として２種類の映像を同時に表示できるディスプレイ１１に表示する。また、助手席側映像合成部９は上記ナビゲーション映像と上記第２ＯＳＤ画像（ＮＡＶＩ）とを合成し、この合成画像を表示データ処理部１０を介して助手席側映像ＩＭＡ１として２種類の映像を同時に表示できるディスプレイ１１に表示する。
【００２０】
実施例１によれば、運転者と助手席同乗者は現在、相手がどのソース映像を見ているかを常に知ることができ、運転者は運転中に相手画面への覗き込みをする必要がなくなる。また、助手席同乗者は運転者がナビゲーション映像を見ていることを知ることができ、運転者がナビゲーション映像を見て安全な運転をしていることを確認できる。
【実施例２】
【００２１】
実施例２の表示装置は同一画面上で２種類の映像を同時に表示する場合に、運転席側（右側）の映像に対して、助手席同乗者（左側）が見ているソース映像名をＯＳＤ表示することにより、運転者は、助手席同乗者がどのソース映像を見ているかを常に知ることができるようにしたものである。
【００２２】
図３は本発明の実施例２における表示装置の構成を示すブロック図である。操作部２１は運転者が運転席側に表示するソース映像を選択したり、助手席同乗者が助手席側に表示するソース映像を選択したりする。
運転者が操作部２１で運転席側に表示するソース映像としてナビゲーション映像を選択操作する。この操作情報は映像選択制御部２２に送られ、映像選択制御部２２はこの操作情報から運転者により選択されたソース映像がナビゲーション映像であることを認識し、ナビゲーション映像生成部２３にナビゲーション映像を生成するように指示する。これにより、ナビゲーション映像生成部２３はナビゲーション映像を生成し、このナビゲーション映像を映像切替部２６に送る。また、映像選択制御部２２は映像切替部２６に上記ナビゲーション映像を運転席側映像合成部２７に送るように指示する。これにより、映像切替部２６は上記ナビゲーション映像を運転席側映像合成部２７に送る。
更に、映像選択制御部２２はＯＳＤ生成部２５に対して助手席側映像のソース名を表すＯＳＤ画像を生成するように指示する。但し、映像選択制御部２２で助手席同乗者が操作部２１で助手席側に表示するソース映像を選択していないことを認識した場合はこの指示は行わない。
運転席側映像合成部２７は、上記ナビゲーション映像と上記ＯＳＤ画像とを合成し、この合成画像を表示データ処理部２８を介して運転席側映像ＩＭＤ２として２種類の映像を同時に表示できるディスプレイ２９に表示する。なお、ディスプレイ２９は図７の表示装置を用いることができる。この時点では助手席同乗者が操作部２１で助手席側に表示するソース映像を選択していないため、上記ＯＳＤ画像は運転席側映像合成部８に入力されない。
【００２３】
次に、助手席同乗者が操作部２１で助手席側に表示するソース映像としてＤＶＤ映像を選択操作する。この操作情報は映像選択制御部２２に送られ、映像選択制御部２２はこの操作情報から助手席同乗者により選択されたソース映像がＤＶＤ映像であることを認識し、ＤＶＤ映像生成部２４にＤＶＤ映像を生成するように指示する。これにより、ＤＶＤ映像生成部２４はＤＶＤ映像を生成し、このＤＶＤ映像を映像切替部２６に送る。また、映像選択制御部２２は映像切替部２６に上記ＤＶＤ映像を助手席側映像ＩＭＡ２として表示データ処理部２８に送るように指示する。これにより、映像切替部２６は上記ＤＶＤ映像を助手席側映像ＩＭＡ２として表示データ処理部２８に送り、上記助手席側映像ＩＭＡ２は表示データ処理部２８で処理され、２種類の映像を同時に表示できるディスプレイ２９に表示される。
更に、映像選択制御部２２はＯＳＤ生成部２５に対して助手席側映像のソース名を表すＯＳＤ画像を生成するように指示する。これにより、ＯＳＤ生成部２５は助手席側映像のソース名を表すＯＳＤ画像、例えばＤＶＤという文字画像を生成し、このＯＳＤ画像を運転席側映像合成部２７に送る。
その後、運転席側映像合成部２７は、上記ナビゲーション映像と上記ＯＳＤ画像（ＤＶＤ）とを合成し、この合成画像を表示データ処理部２８を介して運転席側映像ＩＭＤ２として２種類の映像を同時に表示できるディスプレイ２９に表示する。以上により、図４に示すような映像がディスプレイ２９に表示される。
【００２４】
次に、助手席同乗者が操作部２１で助手席側に表示するソース映像としてナビゲーション映像を選択切替操作する。この操作情報は映像選択制御部２２に送られ、映像選択制御部２２はこの操作情報から助手席同乗者により選択されたソース映像がナビゲーション映像に切り替えられたことを認識し、ＤＶＤ映像生成部２４にＤＶＤ映像を生成しないように指示する。これにより、ＤＶＤ映像生成部２４はＤＶＤ映像を生成しないように制御される。また、映像選択制御部２２は映像切替部２６に上記ナビゲーション映像を運転席映像合成部２７と助手席側映像ＩＭＡ２として表示データ処理部２８とに送るように指示する。これにより、映像切替部２６は上記ナビゲーション映像を運転席映像合成部２７と助手席側映像ＩＭＡ２として表示データ処理部２８とに送る。上記助手席側映像ＩＭＡ２は表示データ処理部２８で処理され、２種類の映像を同時に表示できるディスプレイ２９に表示される。
更に、映像選択制御部２２はＯＳＤ生成部２５に対して助手席側映像のソース名を表すＯＳＤ画像を変更するように指示する。これにより、ＯＳＤ生成部２５は助手席側映像のソース名を表すＯＳＤ画像を、例えばＮＡＶＩという文字画像に変更し、このＯＳＤ画像を運転席映像合成部２７に送る。
その後、運転席側映像合成部２７は、上記ナビゲーション映像と上記ＯＳＤ画像（ＮＡＶＩ）とを合成し、この合成画像を表示データ処理部２８を介して運転席側映像ＩＭＤ２として２種類の映像を同時に表示できるディスプレイ２９に表示する。
【００２５】
実施例２によれば、運転者は現在、助手席同乗者がどのソース映像を見ているかを常に知ることができ、運転者は運転中に相手画面への覗き込みをする必要がなくなる。また、運転者は、運転者と助手席同乗者とが同じソース映像、例えばナビゲーション映像を見ていることが瞬時にわかるため、会話が成立しない等の問題が解消できる
【実施例３】
【００２６】
実施例３の表示装置は同一画面上で２種類の映像を同時に表示する場合に、助手席側（左側）の映像に対して、運転者（右側）が見ているソース映像名をＯＳＤ表示することにより、助手席同乗者は、運転者がどのソース映像を見ているかを常に知ることができるようにしたものである。
【００２７】
図５は本発明の実施例３における表示装置の構成を示すブロック図である。操作部３１は運転者が運転席側に表示するソース映像を選択したり、助手席同乗者が助手席側に表示するソース映像を選択したりする。
運転者が操作部３１で運転席側に表示するソース映像としてナビゲーション映像を選択操作する。この操作情報は映像選択制御部３２に送られ、映像選択制御部３２はこの操作情報から運転者により選択されたソース映像がナビゲーション映像であることを認識し、ナビゲーション映像生成部３３にナビゲーション映像を生成するように指示する。これにより、ナビゲーション映像生成部３３はナビゲーション映像を生成し、このナビゲーション映像を映像切替部３６に送る。また、映像選択制御部３２は映像切替部３６に上記ナビゲーション映像を運転席側映像ＩＭＤ３として表示データ処理部３８に送るように指示する。これにより、映像切替部３６は上記ナビゲーション映像を運転席側映像ＩＭＤ３として表示データ処理部３８に送り、上記運転席側映像ＩＭＤ３は表示データ処理部３８で処理され、２種類の映像を同時に表示できるディスプレイ３９に表示される。なお、ディスプレイ３９は図７の表示装置を用いることができる。
【００２８】
次に、助手席同乗者が操作部３１で助手席側に表示するソース映像としてＤＶＤ映像を選択操作する。この操作情報は映像選択制御部３２に送られ、映像選択制御部３２はこの操作情報から助手席同乗者により選択されたソース映像がＤＶＤ映像であることを認識し、ＤＶＤ映像生成部３４にＤＶＤ映像を生成するように指示する。これにより、ＤＶＤ映像生成部３４はＤＶＤ映像を生成し、このＤＶＤ映像を映像切替部３６に送る。また、映像選択制御部３２は映像切替部３６に上記ＤＶＤ映像を助手席側映像合成部３７に送るように指示する。これにより、映像切替部３６は上記ＤＶＤ映像を助手席側映像合成部３７に送る。
更に、映像選択制御部３２はＯＳＤ生成部３５に対して運転席側映像のソース名を表すＯＳＤ画像を生成するように指示する。これにより、ＯＳＤ生成部３５は運転席側映像のソース名を表すＯＳＤ画像、例えばＮＡＶＩという文字画像を生成し、このＯＳＤ画像を助手席側映像合成部３７に送る。
その後、助手席側映像合成部３７は、上記ＤＶＤ映像と上記ＯＳＤ画像（ＮＡＶＩ）とを合成し、この合成画像を表示データ処理部３８を介して助手席側映像ＩＭＡ３として２種類の映像を同時に表示できるディスプレイ３９に表示する。以上により、図６に示すような映像がディスプレイ３９に表示される。
【００２９】
次に、助手席同乗者が操作部３１で助手席側に表示するソース映像としてナビゲーション映像を選択切替操作する。この操作情報は映像選択制御部３２に送られ、映像選択制御部３２はこの操作情報から助手席同乗者により選択されたソース映像がナビゲーション映像に切り替えられたことを認識し、ＤＶＤ映像生成部３４にＤＶＤ映像を生成しないように指示する。これにより、ＤＶＤ映像生成部３４はＤＶＤ映像を生成しないように制御される。また、映像選択制御部３２は映像切替部３６に上記ナビゲーション映像を助手席側映像合成部３７と運転席側映像ＩＭＤ３として表示データ処理部３８とに送るように指示する。これにより、映像切替部６は上記ナビゲーション映像を助手席側映像合成部３７と運転席側映像ＩＭＤ３として表示データ処理部３８とに送る。上記運転席側映像ＩＭＤ３は表示データ処理部３８で処理され、２種類の映像を同時に表示できるディスプレイ３９に表示される。
更に、映像選択制御部３２はＯＳＤ生成部３５に対して運転席側映像のソース名を表すＯＳＤ画像を変更するように指示する。これにより、ＯＳＤ生成部３５は運転席側映像のソース名を表すＯＳＤ画像を、例えばＮＡＶＩという文字画像に変更し、このＯＳＤ画像を助手席側映像合成部３７に送る。
その後、助手席側映像合成部３７は、上記ナビゲーション映像と上記ＯＳＤ画像（ＮＡＶＩ）とを合成し、この合成画像を表示データ処理部３８を介して助手席側映像ＩＭＡ３として２種類の映像を同時に表示できるディスプレイ３９に表示する。
【００３０】
実施例３によれば、助手席同乗者は現在、運転者がどのソース映像を見ているかを常に知ることができ、運転者がナビゲーション映像を見て安全な運転をしていることを確認できる。
【００３１】
上記実施例では、運転者と助手席同乗者が上記操作部で行うソース映像選択はナビゲーション映像とＤＶＤ映像とに限定していたが、ＴＶ映像やＣＤ・ラジオ等の操作画面等を組み合わせてもよい。
【００３２】
上記実施例では、運転者と助手席同乗者に対して、相手が現在見ているソース映像を知らせるために、相手が見ているソース映像名を表す文字画像を用いたが、絵文字やその他の映像種別を判別可能な画像を用いてもよい。
【００３３】
本発明の表示装置は、上記実施例のように車両内のダッシュボードの中央に設置されることが好適であるが、車両内のダッシュボードの中央以外、例えば車両の後部席の中央等に設置しても適用可能である。
【００３４】
その他、表示装置の構成や制御手順等についても、特許請求の範囲に記載された本発明の要旨の範囲内において、種々の変形・変更が可能である。
【図面の簡単な説明】
【００３５】
【図１】本発明の２種類の映像を同時に表示する表示装置の表示画面を説明する図である。
【図２】本発明の実施例１における表示装置の構成を示すブロック図である。
【図３】本発明の実施例２における表示装置の構成を示すブロック図である。
【図４】本発明の実施例２における表示装置の表示画面を説明する図である。
【図５】本発明の実施例３における表示装置の構成を示すブロック図である。
【図６】本発明の実施例３における表示装置の表示画面を説明する図である。
【図７】２種類の映像を同時に同一画面に表示する表示装置の説明図である。
【図８】従来の２種類の映像を同時に表示する表示装置の表示画面を説明する図である。
【符号の説明】
【００３６】
ＩＭＤ１、ＩＭＤ２、ＩＭＤ３、ＩＭＤ４…運転席側映像
ＩＭＡ１、ＩＭＡ２、ＩＭＡ３、ＩＭＡ４…助手席側映像
１、２１、３１…操作部
２、２２、３２…映像選択制御部
３、２３、３３…ナビゲーション映像生成部
４、２４、３４…ＤＶＤ映像生成部
５、２５、３５…ＯＳＤ生成部
６、２６、３６…映像切替部
７…ＯＳＤ切替部
８、２７…運転席側映像合成部
９、３７…助手席側映像合成部
１０、２８、３８…表示データ処理部
１１、２９、３９…ディスプレイ
【図１】
2007212927.tif 000003
【図２】
2007212927.tif 000004
【図３】
2007212927.tif 000005
【図４】
2007212927.tif 000006
【図５】
2007212927.tif 000007
【図６】
2007212927.tif 000008
【図７】
2007212927.tif 000009
【図８】
2007212927.tif 000010